(57)【要約】【課題】画像の輝度レベルの低下を抑制することのできる液晶表示装置を提供する。又は、表示品位に優れた液晶表示装置を提供する。【解決手段】液晶表示装置は、液晶層と、第１画素電極２２ａと、第２画素電極２２ｂと、補助電極（２０ａ）と、を備える。第１画素電極２２ａは、第１角部Ｃ１、第２角部Ｃ２及び側縁部（Ｓ１）を有し、第１映像信号が入力される。第２画素電極２２ｂは、列方向Ｙに間隔を置いて第１画素電極２２ａと隣合い、第１映像信号の極性と異なる極性の第２映像信号が入力される。補助電極（２０ａ）は第１領域Ｒ１及び第２領域Ｒ２を有し、補助電極（２０ａ）には第１映像信号の極性と同一の極性の電圧が与えられる。【選択図】図７
2015219442.tif 000002
【特許請求の範囲】
【請求項１】
液晶層と、
第１角部と前記第１角部に隣合う第２角部と前記第１角部及び第２角部の間に位置した側縁部とを有し、第１映像信号が入力される第１画素電極と、
前記第１画素電極に向かう列方向に間隔を置いて前記第１画素電極と隣合い、前記第１映像信号の極性と異なる極性の第２映像信号が入力される第２画素電極と、
前記液晶層から向かって前記第１画素電極及び第２画素電極を越えて位置し、前記第１角部、側縁部及び第２角部と対向した第１領域と前記列方向において前記第１画素電極と前記第２画素電極との間に位置した第２領域とを有し、前記第１映像信号の極性と同一の極性の電圧が与えられる補助電極と、を備える液晶表示装置。
【請求項２】
前記第１画素電極及び第２画素電極並びに前記液晶層の間に位置し、前記液晶層に接し、前記列方向に対し±９０°の範囲内の何れか１方向にラビングが施された配向膜をさらに備え、
前記第１画素電極は、前記第１角部、側縁部及び第２角部を規定する行方向の一辺を有し、
前記第２画素電極は、前記一辺に対向した前記行方向の他の一辺を有している請求項１に記載の液晶表示装置。
【請求項３】
前記補助電極は、前記行方向に延在し帯状に形成され、前記第１画素電極と対向した第１側縁と前記第２画素電極の他の一辺と同一平面上に位置した第２側縁とを有している請求項２に記載の液晶表示装置。
【請求項４】
行方向に並んだ複数の画素を有した第１画素群と、
前記行方向に並んだ複数の他の画素を有し、前記列方向に前記第１画素群と隣合う第２画素群と、をさらに備え、
前記第１画素群の複数の画素は、それぞれ前記第１画素電極を有し、
前記第２画素群の複数の他の画素は、それぞれ前記第２画素電極を有し、
前記補助電極は、前記行方向に延在し帯状に形成され、それぞれ前記第１画素群の複数の画素の第１画素電極の第１角部、側縁部及び第２角部と対向した複数の他の第１領域を有し、
前記第２領域は、前記列方向において前記第１画素群の複数の画素の第１画素電極と前記第２画素群の複数の画素の第２画素電極との間に位置している請求項１に記載の液晶表示装置。
【請求項５】
前記第２画素電極は、前記第２角部と対向した第３角部と前記第１角部と対向した第４角部と前記第３角部及び第４角部の間に位置した他の側縁部とを有し、
前記補助電極は、前記第３角部、他の側縁部及び第４角部と対向した第３領域をさらに有している請求項１に記載の液晶表示装置。
【請求項６】
液晶層と、
第１角部と前記第１角部に隣合う第２角部と前記第１角部及び第２角部の間に位置した第１側縁部と前記第２角部に隣合う第３角部と前記第２角部及び第３角部の間に位置した第２側縁部とを有し、第１映像信号が入力される第１画素電極と、
前記第１画素電極に向かう列方向に間隔を置いて前記第１画素電極と隣合い、前記第１映像信号の極性と異なる極性の第２映像信号が入力される第２画素電極と、
前記液晶層から向かって前記第１画素電極及び第２画素電極を越えて位置し、前記第１角部、第１側縁部、第２角部、第２側縁部及び第３角部と対向した第１領域と第１画素電極及び第２画素電極から外れて位置した第２領域とを有し、前記第１映像信号の極性と同一の極性の電圧が与えられる補助電極と、を備える液晶表示装置。
【請求項７】
前記第１画素電極及び第２画素電極並びに前記液晶層の間に位置し、前記液晶層に接し、ラビングが施された配向膜をさらに備え、
前記第１画素電極は、矩形状に形成され、前記第１乃至第３角部と異なる第４角部と、前記第１角部、側縁部及び第２角部を規定する行方向の一辺と、をさらに有し、
前記第２画素電極は、矩形状に形成され、前記一辺に対向した前記行方向の他の一辺を有し、
前記ラビングの方向は、前記第２角部の角から前記第４角部の角に向かう方向に対し±９０°の範囲内の何れか１方向である請求項６に記載の液晶表示装置。
【請求項８】
前記列方向は、前記第１角部の角から前記第４角部の角に向かう方向であり、
前記行方向は、前記第１角部の角から前記第２角部の角に向かう方向であり、
前記ラビングの方向は、前記第２角部の角から前記第４角部の角に向かう方向を含み、前記列方向から前記行方向の逆方向までの９０°の範囲内の何れか１方向である請求項７に記載の液晶表示装置。
【請求項９】
行方向に並んだ複数の画素を有した第１画素群と、
前記行方向に並んだ複数の他の画素を有し、前記列方向に前記第１画素群と隣合う第２画素群と、をさらに備え、
前記第１画素群の複数の画素は、それぞれ前記第１画素電極を有し、
前記第２画素群の複数の他の画素は、それぞれ前記第２画素電極を有し、
前記補助電極は、前記行方向に延在し、それぞれ前記第１画素群の複数の画素の第１画素電極の第１角部、第１側縁部、第２角部、第２側縁部及び第３角部と対向した複数の他の第１領域を有し、
前記第２領域は、前記第１画素群の複数の画素の第１画素電極と前記第２画素群の複数の画素の第２画素電極とから外れて位置している請求項６に記載の液晶表示装置。
【請求項１０】
前記第２画素電極は、前記第１角部と対向した他の角部を有し、
前記補助電極は、前記他の角部と対向した第３領域をさらに有している請求項６に記載の液晶表示装置。
【請求項１１】
前記第１領域は、前記第３領域より大きい請求項５又は１０に記載の液晶表示装置。
【請求項１２】
前記補助電極並びに前記第１画素電極及び第２画素電極の間に位置した絶縁膜をさらに備えている請求項１乃至１１の何れか１項に記載の液晶表示装置。
【発明の詳細な説明】
【技術分野】
【０００１】
本発明の実施形態は、液晶表示装置に関する。
【背景技術】
【０００２】
一般に、液晶表示装置は、アレイ基板と、対向基板と、これら両基板間に挟持された液晶層と、アレイ基板及び対向基板のいずれか一方に形成されたカラーフィルタと、を有している。アレイ基板及び対向基板間の隙間は、スペーサにより一定に保持されている。液晶表示装置の表示方式としては、ＴＮ（Twisted Nematic）方式等の各種の方式が用いられている。
【０００３】
アレイ基板及び対向基板は、それぞれ液晶層に接した配向膜を有している。両配向膜にはラビングが施されている。これにより、両配向膜は、液晶分子を初期配向させることができる。
【先行技術文献】
【特許文献】
【０００４】
【特許文献１】特開平５−１２７１９５号公報
【発明の概要】
【発明が解決しようとする課題】
【０００５】
本発明の実施形態は、画像の輝度レベルの低下を抑制することのできる液晶表示装置を提供する。又は、本発明の実施形態は、表示品位に優れた液晶表示装置を提供する。
【課題を解決するための手段】
【０００６】
一実施形態に係る液晶表示装置は、
液晶層と、
第１角部と前記第１角部に隣合う第２角部と前記第１角部及び第２角部の間に位置した側縁部とを有し、第１映像信号が入力される第１画素電極と、
前記第１画素電極に向かう列方向に間隔を置いて前記第１画素電極と隣合い、前記第１映像信号の極性と異なる極性の第２映像信号が入力される第２画素電極と、
前記液晶層から向かって前記第１画素電極及び第２画素電極を越えて位置し、前記第１角部、側縁部及び第２角部と対向した第１領域と前記列方向において前記第１画素電極と前記第２画素電極との間に位置した第２領域とを有し、前記第１映像信号の極性と同一の極性の電圧が与えられる補助電極と、を備える。
【０００７】
また、一実施形態に係る液晶表示装置は、
液晶層と、
第１角部と前記第１角部に隣合う第２角部と前記第１角部及び第２角部の間に位置した第１側縁部と前記第２角部に隣合う第３角部と前記第２角部及び第３角部の間に位置した第２側縁部とを有し、第１映像信号が入力される第１画素電極と、
前記第１画素電極に向かう列方向に間隔を置いて前記第１画素電極と隣合い、前記第１映像信号の極性と異なる極性の第２映像信号が入力される第２画素電極と、
前記液晶層から向かって前記第１画素電極及び第２画素電極を越えて位置し、前記第１角部、第１側縁部、第２角部、第２側縁部及び第３角部と対向した第１領域と前記第１画素電極及び第２画素電極から外れて位置した第２領域とを有し、前記第１映像信号の極性と同一の極性の電圧が与えられる補助電極と、を備える。
【図面の簡単な説明】
【０００８】
【図１】図１は、第１の実施形態に係る液晶表示装置を示す概略構成図である。
【図２】図２は、図１に示した液晶表示パネルを示す概略断面図である。
【図３】図３は、図１及び図２に示したアレイ基板の概略構成を示す平面図である。
【図４】図４は、図３に示した単位画素を示す等価回路である。
【図５】図５は、上記液晶表示パネルの概略構成を示す平面図であり、４個の単位画素の複数の画素電極と複数の補助電極とを取り出して示す図である。
【図６】図６は、図５に示した液晶表示パネルを線ＶＩ−ＶＩに沿って示す断面図である。
【図７】図７は、上記液晶表示パネルの一部の概略構成を示す拡大平面図であり、２個の画素電極と１個の補助電極とを取り出して示す図である。
【図８】図８は、図７の線ＶＩＩＩ−ＶＩＩＩに沿った液晶表示パネルの一部を示す断面図であり、液晶分子の配向状態を示す図である。
【図９】図９は、上記第１の実施形態に係る変形例１の液晶表示装置の液晶表示パネルの一部を示す断面図であり、２個の画素電極と１個の補助電極との位置関係を説明するための図である。
【図１０】図１０は、第２の実施形態に係る液晶表示装置の液晶表示パネルの概略構成を示す平面図であり、複数の画素電極と複数の補助電極とを取り出して示す図である。
【図１１】図１１は、図１０に示した液晶表示パネルの一部の概略構成を示す拡大平面図であり、２個の画素電極と１個の補助電極とを取り出して示す図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
始めに、本発明の実施形態の基本構想について説明する。  
反射型の液晶表示装置は、例えばＴＮ（Twisted Nematic）方式を採用している。上記液晶表示装置は、アレイ基板と、対向基板と、液晶層とを備えている。アレイ基板は、複数の反射型の画素電極及び配向膜等を有している。画素電極としては、例えば、第１画素電極と、列方向に間隔を置いて第１画素電極と隣合う第２画素電極と、が挙げられる。対向基板は共通電極及び配向膜等を有している。アレイ基板の配向膜には、列方向にラビングが施されている。対向基板の配向膜には、行方向にラビングが施されている。これにより、両配向膜は、液晶分子を初期配向させることができる。
【００１１】
また、上記液晶表示装置は、ライン反転駆動法を採っている。このため、１フレーム期間内に、奇数行の画素の画素電極に与えられる映像信号の極性と、偶数行の画素の画素電極に与えられる映像信号の極性とは、異なる。そして、各画素電極に与えられる映像信号の極性は、１フレーム期間毎に反転する。
【００１２】
しかしながら、上記のように液晶表示装置がライン反転駆動法を採ると、液晶表示装置にエッジリバースと呼ばれる液晶分子の配向不良が生じる問題がある。ここで、エッジリバースとは、画素電極のうちのラビング方向下流側の端部と対向する端部領域に生じる液晶分子の配向不良を言う。エッジリバースが生じた端部領域において、輝度ムラや残像と言った表示不良が生じるため、表示画像の品質の低下を招いてしまう。
【００１３】
そこで、エッジリバースによる表示画像の品質の低下を抑制するため、対向基板側に設けられたブラックマトリクス等を太く形成することにより、上記端部領域を隠す手法を採ることができる。しかしながら、この場合、ブラックマトリクス等による遮光領域の拡大を招き、ブラックマトリクス等により外光取り込み量の著しい低下を招いてしまう。このため、表示画像の輝度レベルが大幅に低下してしまう。
【００１４】
一方、エッジリバースの発生自体を低減する技術が開発されている。例えば、隣合う画素電極の間に補助電極を形成することにより、エッジリバースの発生を抑制することができる。補助電極は、画素電極と同一レベルの層に形成され、画素電極に間隔を置いて位置している。しかしながら、この場合、画素電極が専有する領域の縮小を招き、言い換えると光反射領域の縮小を招いてしまう。このため、ブラックマトリクス等を用いる手段と同様、表示画像の輝度レベルが低下してしまう。
【００１５】
そこで、本発明の実施形態においては、上記問題を解決することにより、画像の輝度レベルの低下を抑制することのできる液晶表示装置が得られるものである。又は、表示品位に優れた液晶表示装置が得られるものである。次に、上記問題を解決するための手段及び手法について説明する。
【００１６】
以下、図面を参照しながら第１の実施形態に係る液晶表示装置について詳細に説明する。  
図１及び図２に示すように、液晶表示装置は、液晶表示パネル１０を備えている。本実施形態において、液晶表示パネル１０は、ＴＮ方式を採用している。液晶表示パネル１０は、アレイ基板１と、アレイ基板に所定の隙間を置いて対向配置された対向基板２と、これら両基板間に挟持された液晶層３とを備えている。その他、液晶表示装置は、映像信号出力部としての信号線駆動回路９０と、制御部１００と、接続部１１０とを備えている。接続部１１０としては、ＦＰＣ（flexible printed circuit）又はＴＣＰ（tape carrier package）を利用することができる。液晶表示パネル１０は、表示領域ＡＡを有している。表示領域ＡＡは非表示領域で囲まれている。
【００１７】
図１乃至図４に示すように、アレイ基板１は、透明な絶縁性の基板として、例えばガラス基板４ａを備えている。表示領域ＡＡにおいて、ガラス基板４ａ上にはマトリクス状に配置された複数の単位画素ＵＰＸが形成されている。単位画素ＵＰＸは、行方向Ｘにｍ個並べられ、行方向Ｘに直交した列方向Ｙにｎ個並べられている。
【００１８】
各単位画素ＵＰＸは、複数の画素ＰＸを備えている。ここでは、各単位画素ＵＰＸは、第１乃至第４画素ＰＸａ乃至ＰＸｄを備えている。第２画素ＰＸｂは、第１画素ＰＸａに列方向Ｙに隣合って位置している。第３画素ＰＸｃは、第１画素ＰＸａに行方向Ｘに隣合って位置している。第４画素ＰＸｄは、第２画素ＰＸｂに行方向Ｘに隣合い第３画素ＰＸｃに列方向Ｙに隣合って位置している。
【００１９】
ここで、単位画素ＵＰＸの単位ではなく画素ＰＸの単位に着目すると、複数の画素ＰＸは、行方向Ｘに２×ｍ個並べられ、列方向Ｙに２×ｎ個並べられている。奇数行において、第１画素ＰＸａ及び第３画素ＰＸｃが交互に順に並べられている。偶数行において、第２画素ＰＸｂ及び第４画素ＰＸｄが交互に順に並べられている。奇数列において、第１画素ＰＸａ及び第２画素ＰＸｂが交互に順に並べられている。偶数列において、第３画素ＰＸｃ及び第４画素ＰＸｄが交互に順に並べられている。
【００２０】
なお、上記単位画素ＵＰＸを絵素と言い換えることができる。又は、単位画素ＵＰＸを画素と言い換えることができ、この場合、上記画素ＰＸを副画素と言い換えることができる。
【００２１】
表示領域ＡＡの外側において、ガラス基板４ａの上方に、駆動回路９及びアウタリードボンディング（outer lead bonding）のパッド群（以下、ＯＬＢパッド群と称する）ｐＧが形成されている。本実施形態において、駆動回路９は、走査線駆動回路及び補助電極駆動回路として利用される。なお、上記走査線駆動回路及び補助電極駆動回路は、互いに分離して設けられていてもよい。例えば図３を参照すると、非表示領域のうち、左側領域に走査線駆動回路が設けられ、右側領域に補助電極駆動回路が設けられてもよい。
【００２２】
表示領域ＡＡにおいて、ガラス基板４ａの上方には、複数本（２×ｎ本）の走査線１５及び複数（２×ｍ本）の信号線１７が配置されている。信号線１７は、信号線駆動回路９０に接続されている。信号線１７は、列方向Ｙに延在し行方向Ｘに互いに間隔を置いて設けられている。信号線１７は、それぞれ一列の複数の画素ＰＸに電気的に接続されている。走査線１５は、駆動回路９（走査線駆動回路）に接続されている。走査線１５は、行方向Ｘに延出し、列方向Ｙに互いに間隔を置いて設けられている。走査線１５は、それぞれ一行の複数の画素ＰＸに電気的に接続されている。
【００２３】
次に、単位画素ＵＰＸを１つ取り出して説明する。  
図３及び図４に示すように、第１乃至第４画素ＰＸａ乃至ＰＸｄは、互いに異なる色の画像を表示するように構成された画素である。この実施形態において、第１乃至第４画素ＰＸａ乃至ＰＸｄは、赤色（Ｒ）、緑色（Ｇ）、青色（Ｂ）及び白色（Ｗ）の画像を表示するように構成された画素である。単位画素ＵＰＸは、いわゆるＲＧＢＷ正方画素（ＲＧＢＷの４個の正方形の画素が正方配列化された画素）で構成されている。
【００２４】
第１画素ＰＸａは、第１画素電極２２ａと、第１スイッチング素子１２ａと、を有し、赤色（Ｒ）の画像を表示するように構成されている。この実施形態において、第１スイッチング素子１２ａは、薄膜トランジスタ（thin film transistor：ＴＦＴ）で形成されている。第１スイッチング素子１２ａは、走査線１５に電気的に接続された第１電極と、信号線１７に電気的に接続された第２電極と、第１画素電極２２ａに電気的に接続された第３電極と、を有している。  
ここで、第１スイッチング素子１２ａにおいて、上記第１電極がゲート電極として機能し、第２及び第３電極の一方がソース電極として機能し、第２及び第３電極の他方がドレイン電極として機能する。なお、これら第１乃至第３電極の機能に関しては、後述する第２乃至第４スイッチング素子１２ｂ乃至１２ｄにおいても同様である。
【００２５】
第２画素ＰＸｂは、第２画素電極２２ｂと、第２スイッチング素子１２ｂと、を有し、青色（Ｂ）の画像を表示するように構成されている。この実施形態において、第２スイッチング素子１２ｂは、ＴＦＴで形成されている。第２スイッチング素子１２ｂは、走査線１５に電気的に接続された第１電極と、信号線１７に電気的に接続された第２電極と、第２画素電極２２ｂに電気的に接続された第３電極と、を有している。第２画素ＰＸｂは、第１画素ＰＸａとともに同一の信号線１７に接続されている。
【００２６】
第３画素ＰＸｃは、第３画素電極２２ｃと、第３スイッチング素子１２ｃと、を有し、緑色（Ｇ）の画像を表示するように構成されている。この実施形態において、第３スイッチング素子１２ｃは、ＴＦＴで形成されている。第３スイッチング素子１２ｃは、走査線１５に電気的に接続された第１電極と、信号線１７に電気的に接続された第２電極と、第３画素電極２２ｃに電気的に接続された第３電極と、を有している。第３画素ＰＸｃは、第１画素ＰＸａとともに同一の走査線１５に接続されている。
【００２７】
第４画素ＰＸｄは、第４画素電極２２ｄと、第４スイッチング素子１２ｄと、を有し、白色（Ｗ）の画像を表示するように構成されている。この実施形態において、第４スイッチング素子１２ｄは、ＴＦＴで形成されている。第４スイッチング素子１２ｄは、走査線１５に電気的に接続された第１電極と、信号線１７に電気的に接続された第２電極と、第４画素電極２２ｄに電気的に接続された第３電極と、を有している。第４画素ＰＸｄは、第２画素ＰＸｂとともに同一の走査線１５に接続され、第３画素ＰＸｃとともに同一の信号線１７に接続されている。
【００２８】
上記のように、本実施形態において、各単位画素ＵＰＸには、２本の信号線１７と２本の走査線１５とが接続されている。但し、各単位画素ＵＰＸには、４本の信号線１７と１本の走査線１５とが接続されていてもよい。この場合、単位画素ＵＰＸの第１乃至第４画素ＰＸａ乃至ＰＸｄは、同一の走査線１５に電気的に接続されている。そして、単位画素ＵＰＸの第１乃至第４画素ＰＸａ乃至ＰＸｄは、互いに異なる信号線１７に電気的に接続されている。
【００２９】
図３及び図５に示すように、さらに、表示領域ＡＡにおいて、ガラス基板４ａの上方には、複数個（２ｎ−１個）の補助電極２０が配置されている。補助電極２０は、駆動回路９（補助電極駆動回路）に接続されている。補助電極２０は、行方向Ｘに延在し列方向Ｙに互いに間隔を置いて設けられている。補助電極２０は、大まかに、列方向Ｙに隣合う画素ＰＸの間に位置している。
【００３０】
補助電極２０は、第１補助電極２０ａと、第２補助電極２０ｂとに分類される。第１補助電極２０ａ及び第２補助電極２０ｂは、列方向Ｙに交互に順に並べられている。列方向Ｙにおいて第１補助電極２０ａに最も近接している画素電極は、下手側では第１画素電極２２ａ及び第３画素電極２２ｃであり、上手側では第２画素電極２２ｂ及び第４画素電極２２ｄである。列方向Ｙにおいて第２補助電極２０ｂに最も近接している画素電極は、下手側では第２画素電極２２ｂ及び第４画素電極２２ｄであり、上手側では第１画素電極２２ａ及び第３画素電極２２ｃである。
【００３１】
次に、液晶表示パネル１０の断面構造について説明する。  
図５及び図６に示すように、ガラス基板４ａ上にはアンダーコート膜（絶縁膜）１１が形成されている。アンダーコート膜１１の上方に、複数のスイッチング素子１２（１２ａ乃至１２ｄ）が形成されている。
【００３２】
詳しくは、アンダーコート膜１１上に半導体層１３が形成されている。アンダーコート膜１１及び半導体層１３上に、ゲート絶縁膜１４が形成されている。ゲート絶縁膜１４上には、複数の走査線１５が形成されている。走査線１５は、半導体層１３の第１領域（チャネル領域）と対向した複数の第１電極（ゲート電極）１５ａを有している。ゲート絶縁膜１４及び走査線１５（第１電極１５ａ）上に、第１層間絶縁膜１６が形成されている。
【００３３】
第１層間絶縁膜１６上に、複数の信号線１７、複数の第２電極１８ａ及び複数の第３電極１８ｂが形成されている。信号線１７、第２電極１８ａ及び第３電極１８ｂは、同一材料を利用し、同時に形成されている。信号線１７は、第２電極１８ａと一体に形成されている。第２電極１８ａは、ゲート絶縁膜１４及び第１層間絶縁膜１６に形成されたコンタクトホールを通り半導体層１３の第２領域にコンタクトしている。ドレイン電極１８ｂは、ゲート絶縁膜１４及び第１層間絶縁膜１６に形成された他のコンタクトホールを通り半導体層１３の第３領域にコンタクトしている。なお、第２及び第３領域の一方がソース領域として機能し、第２及び第３領域の他方がドレイン領域として機能する。上記のように、スイッチング素子１２が形成されている。
【００３４】
第１層間絶縁膜１６、信号線１７、第２電極１８ａ及び第３電極１８ｂ上に、第２層間絶縁膜１９が形成されている。第２層間絶縁膜１９上に、複数の補助電極２０（２０ａ及び２０ｂ）が形成されている。本実施形態において、補助電極２０は、導電材料として、例えば金属材料で形成されている。なお、補助電極２０は、金属材料の替わりに、インジウム錫酸化物（indium tin oxide：ＩＴＯ）、インジウム亜鉛酸化物、（indium zinc oxide：ＩＺＯ）等の透明な導電材料で形成することも可能である。
【００３５】
第２層間絶縁膜１９及び補助電極２０上には、絶縁膜２１が形成されている。絶縁膜２１は、平坦化膜としても機能し得る。絶縁膜２１が平坦化膜として機能することにより、アレイ基板１の表面の凹凸を低減することができる。
【００３６】
絶縁膜２１上に、複数の画素電極２２（２２ａ乃至２２ｄ）が形成されている。本実施形態において、画素電極２２は、光反射導電層、透明導電層、又はこれらの積層体で形成されている。光反射導電層は、アルミニウム（aluminum：Ａｌ）等の金属材料を利用して形成することができる。透明導電層は、ＩＴＯ、ＩＺＯ等の透明な導電材料を利用して形成することができる。
【００３７】
この実施形態において、画素電極２２は、光反射導電層と透明導電層との積層体で形成された光反射型の画素電極である。液晶表示パネル１０は光反射型の液晶表示パネルである。画素電極２２は、光反射性を有し、表示面（対向基板２の外面）側から入射された光を上記表示面側に反射することができる。
【００３８】
例えば、透明導電層は画素電極２２の最上層に位置している。透明導電層のサイズは光反射導電層のサイズと同一であり、透明導電層は光反射導電層に完全に重なって形成されていてもよい。この場合、１回のフォトリソグラフィ工程で、積層された光反射導電膜及び透明導電膜にパターニングを施すことにより、光反射導電層及び透明導電層を同時に形成することができる。
【００３９】
なお、液晶表示パネル１０は光透過型の液晶表示パネルであってもよい。この場合、画素電極２２は、透明導電層のみで形成された光透過型の画素電極である。画素電極２２は、光透過性を有し、アレイ基板１側から入射された光を対向基板２側に出射させることができる。
【００４０】
絶縁膜２１及び画素電極２２上には、柱状スペーサ５（図２）が形成されている。絶縁膜２１、画素電極２２及び柱状スペーサ５上には配向膜２３が設けられている。配向膜２３は液晶層３に接している。この実施形態において、配向膜２３は水平配向膜であり、ラビング等の配向処理が施されている。これにより、配向膜２３は、液晶層３の液晶分子を初期配向させることができる。  
上記のように、アレイ基板１が形成されている。
【００４１】
図６に示すように、一方、対向基板２は、透明な絶縁基板として、例えばガラス基板４ｂを備えている。ガラス基板４ｂ上には、カラーフィルタ３０が設けられている。カラーフィルタ３０は、ブラックマトリクス３１と、複数色の着色層（又は無着色層）３２とを有している。ブラックマトリクス３１は、複数の画素ＰＸを区画するように格子状に形成されている。
【００４２】
この実施形態において、カラーフィルタ３０は、第１画素ＰＸａを形成する赤色の着色層３２（３２Ｒ）、第２画素ＰＸｂを形成する青色の着色層３２（３２Ｂ）、第３画素ＰＸｃを形成する緑色の着色層３２、及び第４画素ＰＸｄを形成する透明な無着色層３２を有している。なお、上記カラーフィルタ３０は、無着色層３２無しに形成することができ得る。
【００４３】
また、この実施形態において、カラーフィルタ３０上にオーバーコート膜４１が設けられている。オーバーコート膜４１は、対向基板２の表面の凹凸を低減する機能を有している。なお、オーバーコート膜４１は必要に応じて設けられていればよい。オーバーコート膜４１上には、対向電極（共通電極）４２及び配向膜４３が順に設けられている。
【００４４】
この実施形態において、対向電極４２は、ＩＴＯ、ＩＺＯ等の透明な導電材料を利用して形成されている。配向膜４３は液晶層３に接している。配向膜４３は、水平配向膜であり、ラビング等の配向処理が施されている。これにより、配向膜２３は、液晶層３の液晶分子を初期配向させることができる。  
上記のように、対向基板２が形成されている。
【００４５】
図２に示すように、アレイ基板１及び対向基板２間の隙間は柱状スペーサ５により保持されている。アレイ基板１及び対向基板２は、これら両基板の周縁部に配置されたシール材６により接合されている。液晶層３は、アレイ基板１、対向基板２及びシール材６で囲まれた空間に形成されている。本実施形態において、液晶層３は、ポジ型の液晶材料で形成されている。  
上記のように液晶表示装置が形成されている。
【００４６】
次に、列方向Ｙに隣合う一対の画素電極２２と、これらの画素電極の間に位置した１個の補助電極２０との関係について説明する。ここでは、第１画素電極２２ａ、第２画素電極２２ｂ及び第１補助電極２０ａを代表して説明する。
【００４７】
図７及び図８に示すように、第１画素電極２２ａは、例えば矩形状に形成され、行方向Ｘの辺及び列方向Ｙの辺を有している。この実施形態において、第１画素電極２２ａの形状は、正方形である。第１画素電極２２ａは、第１角部Ｃ１と、第１角部Ｃ１に隣合う第２角部Ｃ２と、第１角部Ｃ１及び第２角部Ｃ２の間に位置した側縁部Ｓ１とを有している。例えば、第１角部Ｃ１、第２角部Ｃ２及び側縁部Ｓ１は、それぞれ矩形状に形成されている。第１角部Ｃ１、第２角部Ｃ２及び側縁部Ｓ１は、第１画素電極２２ａの下端部Ｅ１を形成している。第１画素電極２２ａは、第１角部Ｃ１、側縁部Ｓ１及び第２角部Ｃ２を規定する行方向Ｘの一辺である下辺Ｌ１を有している。  
ここで、第１画素ＰＸａを含む、行方向Ｘに並んだ複数の画素ＰＸ（ＰＸａ，ＰＸｃ）は第１画素群を形成している。第１画素群の複数の画素ＰＸ（ＰＸａ，ＰＸｃ）は、それぞれ上記下端部Ｅ１等を有し、第１画素電極２２ａと同様に形成された画素電極２２（２２ａ，２２ｃ）を有している。
【００４８】
第２画素電極２２ｂは、列方向Ｙに間隔を置いて第１画素電極２２ａと隣合っている。第２画素電極２２ｂは、例えば矩形状に形成され、行方向Ｘの辺及び列方向Ｙの辺を有している。この実施形態において、第２画素電極２２ｂの形状は、正方形である。第２画素電極２２ｂは、第２角部Ｃ２と対向した第３角部Ｃ３と、第１角部Ｃ１と対向した第４角部Ｃ４と、第３角部Ｃ３及び第４角部Ｃ４の間に位置した側縁部Ｓ２とを有している。例えば、第３角部Ｃ３、第４角部Ｃ４及び側縁部Ｓ２は、それぞれ矩形状に形成されている。第３角部Ｃ３、第４角部Ｃ４及び側縁部Ｓ２は、第２画素電極２２ｂの上端部Ｅ２を形成している。第２画素電極２２ｂは、第３角部Ｃ３、側縁部Ｓ２及び第４角部Ｃ４を規定する行方向Ｘの一辺である上辺Ｌ２を有している。上辺Ｌ２は、下辺Ｌ１と対向している。  
ここで、第２画素ＰＸｂを含む、行方向Ｘに並んだ複数の画素ＰＸ（ＰＸｂ，ＰＸｄ）は第２画素群を形成している。第２画素群は列方向Ｙに第１画素群と隣合っている。第２画素群の複数の画素ＰＸ（ＰＸｂ，ＰＸｄ）は、それぞれ上記上端部Ｅ２等を有し、第２画素電極２２ｂと同様に形成された画素電極２２（２２ｂ，２２ｄ）を有している。
【００４９】
第１補助電極２０ａは、液晶層３から向かって第１画素電極２２ａ及び第２画素電極２２ｂを越えて位置している。第１補助電極２０ａは、行方向Ｘに延在し帯状に形成されている。第１補助電極２０ａは、第１側縁２０ａ１と、第２側縁２０ａ２とを有している。第１側縁２０ａ１は、厚み方向Ｚに第１画素電極２２ａと対向している。第２側縁２０ａ２は、厚み方向Ｚに第２画素電極２２ｂと対向している。ここで、厚み方向Ｚは、液晶表示パネル１０の厚み方向であり、アレイ基板１側から対向基板２側に向かい、行方向Ｘ及び列方向Ｙに直交している。
【００５０】
第１補助電極２０ａは、第１乃至第３領域Ｒ１乃至Ｒ３を有している。第１領域Ｒ１は、第１画素電極２２ａの下端部Ｅ１と対向している。第２領域Ｒ２は、列方向Ｙにおいて第１画素電極２２ａと第２画素電極２２ｂとの間に位置している。第３領域Ｒ３は、第２画素電極２２ｂの上端部Ｅ２と対向している。  
本実施形態において、第１領域Ｒ１は、第３領域Ｒ３より大きい。第１領域Ｒ１の列方向Ｙの幅Ｗ１は、第３領域Ｒ３の列方向Ｙの幅Ｗ２より大きい。
【００５１】
なお、第１補助電極２０ａは、それぞれ第１画素群の複数の画素ＰＸ（ＰＸａ，ＰＸｃ）の画素電極２２（２２ａ，２２ｃ）の下端部Ｅ１と対向した複数の第１領域Ｒ１を有している。第１補助電極２０ａは、それぞれ第２画素群の複数の画素ＰＸ（ＰＸｂ，ＰＸｄ）の画素電極２２（２２ｂ，２２ｄ）の上端部Ｅ２と対向した複数の第３領域Ｒ３を有している。第１補助電極２０ａの第２領域Ｒ２は、列方向Ｙにおいて第１画素群の複数の画素ＰＸの画素電極２２（２２ａ，２２ｃ）と、第２画素群の複数の画素ＰＸの画素電極２２（２２ｂ，２２ｄ）との間に位置している。
【００５２】
次に、配向膜に施す配向処理について説明する。  
図７及び図８に示すように、配向膜２３は、画素電極２２（２２ａ乃至２２ｄ）と液晶層の３との間に位置し、液晶層３に接している。本実施形態において、配向膜２３には、列方向Ｙにラビングが施されている。
【００５３】
但し、配向膜２３に施すラビングの方向は、列方向Ｙに限定されるものではなく、種々変形可能である。配向膜２３には、列方向Ｙに対し±９０°の範囲内（−９０°≦θ≦＋９０°）の何れか１方向にラビングが施されていてもよい。ここで、液晶表示パネル１０を平面視した状態において、列方向Ｙを角度θ＝０°とする。なお、液晶表示パネル１０を平面視した状態とは、厚み方向Ｚの逆方向から液晶表示パネル１０をみた状態である。上記平面視した状態での角度θに関し、列方向Ｙに対する右回りをプラス、列方向Ｙに対する左回りをマイナスとしている。
【００５４】
一方、配向膜４３（図６）にもラビングが施されている。上述したように本実施形態において、液晶表示パネル１０はＴＮ方式を採用している。このため、配向膜４３には、配向膜２３のラビング方向に対して直交する方向にラビングが施されている。
【００５５】
次に、液晶表示パネル１０の駆動方法について説明する。  
図３及び図５に示すように、本実施形態に係る液晶表示装置は、ライン反転駆動法を採っている。上記ライン反転駆動は、ゲートライン反転駆動や、横カラム反転駆動とも称される。このため、１フレーム期間内に、奇数行の画素ＰＸ（ＰＸａ，ＰＸｃ）の画素電極２２（２２ａ，２２ｃ）に入力される第１映像信号の極性と、偶数行の画素ＰＸ（ＰＸｂ，ＰＸｄ）の画素電極２２（２２ｂ，２２ｄ）に与えられる第２映像信号の極性とは、異なる。そして、各画素電極２２（２２ａ，２２ｃ）に入力される第１映像信号の極性と、各画素電極２２（２２ｂ，２２ｄ）に入力される第２映像信号の極性とは、１フレーム期間毎に反転する。なお、これらの映像信号は、信号線駆動回路９０から信号線１７及びスイッチング素子１２を介して画素電極２２に入力される。
【００５６】
第１補助電極２０ａには、１フレーム期間毎に、第１映像信号の極性と同一の極性の電圧が与えられる。第２補助電極２０ｂには、１フレーム期間毎に、第２映像信号の極性と同一の極性の電圧が与えられる。なお、上記電圧は、駆動回路９から第１及び第２補助電極２０ａ，２０ｂに与えられる。
【００５７】
また、対向電極４２にはコモン電圧が与えられている。  
液晶層３に電圧を印加していない状態、すなわち、画素電極２２と対向電極４２との間に電圧を印加していない状態において、画素電極２２及び対向電極４２は、電界を与えないように設定されている。図８に示すように、電圧を印加していない状態において、液晶分子ＬＭは、配向膜２３，４３による配向規制力の影響を受け、初期配向している。
【００５８】
一方、液晶層３に電圧を印加している状態、すなわち、画素電極２２と対向電極４２との間に電圧を印加している状態において、画素電極２２及び対向電極４２は、電界を与えるように設定されている。電圧印加状態において、液晶分子ＬＭのダイレクタは、電気力線に沿って配向する。
【００５９】
ここで、本実施形態とは異なり、補助電極２０（２０ａ，２０ｂ）を設けなかったり、補助電極２０に所定の極性の電圧を与えなかったりした場合、下端部Ｅ１近傍領域の液晶分子ＬＭのダイレクタは、画素電極２２ａ（２２ｃ）から画素電極２２ｂ（２２ｄ）、又は画素電極２２ｂ（２２ｄ）から画素電極２２ａ（２２ｃ）に向かう横方向の電気力線に沿って配向する場合がある。例えば、図８に破線で示す液晶分子ＬＭのように、初期配向状態とは反対側に傾斜するように、液晶分子ＬＭが配向する結果となる。すなわち、下端部Ｅ１近傍領域において、上記エッジリバースの発生を招いてしまう。
【００６０】
そこで、本実施形態において、上記のように、補助電極２０（２０ａ，２０ｂ）を設け、補助電極２０に所定の極性の電圧を与えている。電気力線を、画素電極２２ａ（２２ｃ）から画素電極２２ｂ（２２ｄ）、又は画素電極２２ｂ（２２ｄ）から画素電極２２ａ（２２ｃ）に向かい難くすることができる。このため、液晶表示装置がライン反転駆動法を採っても、下端部Ｅ１と対向する領域における上記エッジリバースの発生を有効に回避することができる。なおこの場合、上端部Ｅ２近傍領域においては、画素電極２２ｂと補助電極２０ａとの間に電気力線が向かうが、当該領域は、初期配向の方向と電気力線の方向とが概ね合致しており、エッジリバースを生ずる心配が無い。
【００６１】
上記のように構成された第１の実施形態に係る液晶表示装置によれば、液晶表示装置は、液晶層３と、第１乃至第４画素電極２２ａ乃至２２ｄと、第１及び第２補助電極２０ａ及び２０ｂと、を備えている。例えば、第２画素電極２２ｂは、列方向Ｙに間隔を置いて第１画素電極２２ａと隣合っている。第１補助電極２０ａは、第１領域Ｒ１と第２領域Ｒ２とを有している。任意の１フレーム期間において、第１画素電極２２ａには第１映像信号が入力され、第２画素電極２２ｂには第１映像信号の極性と異なる極性の第２映像信号が入力され、第１補助電極２０ａには第１映像信号の極性と同一の極性の電圧が与えられる。これにより、エッジリバースの発生を有効に回避することができるため、表示品位に優れた液晶表示装置を得ることができる。
【００６２】
そして、表示品位の低下を防止するために、上述したようにブラックマトリクス３１等を太く形成する必要は無い。ブラックマトリクス等による外光取り込み量の低下を防止することができる。このため、画像の輝度レベルの低下を抑制することのできる液晶表示装置を得ることができる。
【００６３】
補助電極２０及び画素電極２２は、Ｘ−Ｙ平面に沿って並んで配置（平面方向配置）されているのではなく、厚み方向Ｚに対向配置（積層方向配置）されている。画素電極２２が専有する領域が縮小する事態を回避することができるため、画像の輝度レベルの低下を抑制することができる。
【００６４】
配向膜２３には、列方向Ｙに対し±９０°の範囲内（−９０°≦θ≦＋９０°）の何れか１方向にラビングが施されていてもよい。この場合も、エッジリバースの発生を低減することができる。ラビング方向Ｄは、液晶表示パネル１０の視野角に及ぼす影響が大きいが、上記のことから、ラビング方向Ｄの選択範囲の制約が無くなるか、又は低減される。このため、液晶表示パネル１０の設計自由度が大幅に広がる効果を得ることができる。
【００６５】
補助電極２０の第３領域Ｒ３と画素電極２２の上端部Ｅ２とは、互いに逆極性に設定されるため、保持容量として利用することも可能である。
【００６６】
ここで、例えば、第１補助電極２０ａの第３領域Ｒ３と第２画素電極２２ｂの上端部Ｅ２との対向面積より、第１補助電極２０ａの第１領域Ｒ１と第１画素電極２２ａの下端部Ｅ１との対向面積の方が大きい。但し、第１補助電極２０ａと第１画素電極２２ａとは同極性に設定されている。このため、第１領域Ｒ１と下端部Ｅ１とは寄生容量を形成し難いものである。
【００６７】
上記のことから、画像の輝度レベルの低下を抑制することのできる液晶表示装置を得ることができる。又は、表示品位に優れた液晶表示装置を得ることができる。
【００６８】
次に、上記第１の実施形態に係る変形例１の液晶表示装置について説明する。変形例１の液晶表示装置は、補助電極２０（２０ａ，２０ｂ）以外、上記第１の実施形態係る液晶表示装置と同様に形成されている。この変形例１では、画素電極２２（２２ａ，２２ｂ）と補助電極２０（２０ａ）との位置関係について説明する。
【００６９】
図９に示すように、補助電極２０は、上述した第３領域Ｒ３を有していなくともよい。例えば、第１補助電極２０ａは、第２画素電極２２ｂの上辺Ｌ２と同一平面上に位置した第２側縁２０ａ２を有していてもよい。ここでは、上記同一平面は、行方向Ｘと厚み方向Ｚとで規定されるＸ−Ｚ平面に平行である。
【００７０】
本変形例１のように、補助電極２０が上述した第３領域Ｒ３を有していなくとも、上記第１の実施形態と同様の効果を得ることができる。例えば、エッジリバースの発生を低減することができる。なお、補助電極２０が第１領域Ｒ１及び第２領域Ｒ２を有していれば、上記エッジリバースの発生を低減する効果を得ることができる。このため、第２側縁２０ａ２と上辺Ｌ２とが列方向Ｙに隙間を形成していても、上記エッジリバースの発生を低減する効果を得ることができる。但し、第２側縁２０ａ２と上辺Ｌ２との列方向Ｙの隙間が大きくなる程、上記エッジリバースの発生を低減する効果が低減することになる。このため、第２側縁２０ａ２と上辺Ｌ２とが列方向Ｙに隙間を形成する態様は、あまり好ましくない。
【００７１】
次に、第２の実施形態に係る液晶表示装置について詳細に説明する。本実施形態に係る液晶表示装置は、補助電極２０の形状及びラビング方向Ｄ以外、上記第１の実施形態係る液晶表示装置と同様に形成されている。
【００７２】
図１０に示すように、補助電極２０（２０ａ，２０ｂ）は、大まかに行方向Ｘに延在して形成され、凹凸構造を有している。補助電極２０は、行方向Ｘに延在した帯部と、帯部の第２側縁（２０ａ２，２０ｂ２）から列方向Ｙの逆方向に突出した複数の第１突出部と、帯部の第１側縁（２０ａ１，２０ｂ１）から列方向Ｙに突出した複数の第２突出部と、を有している。なお、本実施形態においても、第１補助電極２０ａと第２補助電極２０ｂとは、電気的に絶縁されている。
【００７３】
次に、列方向Ｙに隣合う一対の画素電極２２と、これらの画素電極の間に位置した１個の補助電極２０との関係について説明する。ここでは、第１画素電極２２ａ、第２画素電極２２ｂ及び第１補助電極２０ａを代表して説明する。
【００７４】
図１０及び図１１に示すように、第１画素電極２２ａは、例えば矩形状に形成され、行方向Ｘの辺及び列方向Ｙの辺を有している。この実施形態において、第１画素電極２２ａの形状は、正方形である。第１画素電極２２ａは、第１角部Ｃ１と、第１角部Ｃ１に隣合う第２角部Ｃ２と、第１角部Ｃ１及び第２角部Ｃ２の間に位置した第１側縁部Ｓ１と、第２角部Ｃ２に隣合う第３角部Ｃ３と、第２角部Ｃ２及び第３角部Ｃ３の間に位置した第２側縁部Ｓ２と、第１乃至第３角部Ｃ１乃至Ｃ３と異なる第４角部Ｃ４と、を有している。例えば、第１角部Ｃ１、第２角部Ｃ２、第３角部Ｃ３、第１側縁部Ｓ１及び第２側縁部Ｓ２は、それぞれ矩形状に形成されている。第１画素電極２２ａは、第１角部Ｃ１、側縁部Ｓ１及び第２角部Ｃ２を規定する行方向Ｘの一辺である下辺Ｌ１を有している。  
ここで、第１画素ＰＸａを含む、行方向Ｘに並んだ複数の画素ＰＸ（ＰＸａ，ＰＸｃ）は第１画素群を形成している。第１画素群の複数の画素ＰＸ（ＰＸａ，ＰＸｃ）は、それぞれ上記第１画素電極２２ａと同様に形成された画素電極２２（２２ａ，２２ｃ）を有している。
【００７５】
第２画素電極２２ｂは、列方向Ｙに間隔を置いて第１画素電極２２ａと隣合っている。第２画素電極２２ｂは、例えば矩形状に形成され、行方向Ｘの辺及び列方向Ｙの辺を有している。この実施形態において、第２画素電極２２ｂの形状は、正方形である。第２画素電極２２ｂは、第１画素電極２２ａと同様に複数の角部や複数の側縁部を有している。特に、第２画素電極２２ｂは、第１画素電極２２ａの第１角部Ｃ１と対向した第４角部Ｃ４を有している。例えば、第４角部Ｃ４は、矩形状に形成されている。第２画素電極２２ｂは、行方向Ｘの一辺である上辺Ｌ２を有している。上辺Ｌ２は、第１画素電極２２ａの下辺Ｌ１と対向している。  
ここで、第２画素ＰＸｂを含む、行方向Ｘに並んだ複数の画素ＰＸ（ＰＸｂ，ＰＸｄ）は第２画素群を形成している。第２画素群は列方向Ｙに第１画素群と隣合っている。第２画素群の複数の画素ＰＸ（ＰＸｂ，ＰＸｄ）は、それぞれ上記第２画素電極２２ｂと同様に形成された画素電極２２（２２ｂ，２２ｄ）を有している。
【００７６】
第１補助電極２０ａは、液晶層３から向かって第１画素電極２２ａ及び第２画素電極２２ｂを越えて位置している。第１補助電極２０ａは、第１乃至第３領域Ｒ１乃至Ｒ３を有している。第１領域Ｒ１は、第１画素電極２２ａの第１角部Ｃ１、第１側縁部Ｓ１、第２角部Ｃ２、第２側縁部Ｓ２及び第３角部Ｃ３と対向している。第２領域Ｒ２は、第１乃至第４画素電極２２ａ乃至２２ｄから外れて位置している。第３領域Ｒ３は、第２画素電極２２ｂの第４角部Ｃ４と対向している。  
本実施形態において、第１領域Ｒ１は、第３領域Ｒ３より大きい。
【００７７】
なお、第１補助電極２０ａは、それぞれ第１画素群の複数の画素ＰＸ（ＰＸａ，ＰＸｃ）の画素電極２２（２２ａ，２２ｃ）の角部Ｃ１，Ｃ２，Ｃ３及び側縁部Ｓ１，Ｓ２と対向した複数の第１領域Ｒ１を有している。第１補助電極２０ａは、それぞれ第２画素群の複数の画素ＰＸ（ＰＸｂ，ＰＸｄ）の画素電極２２（２２ｂ，２２ｄ）の第４角部Ｃ４と対向した複数の第３領域Ｒ３を有している。第１補助電極２０ａの第２領域Ｒ２は、第１画素群の複数の画素ＰＸの画素電極２２（２２ａ，２２ｃ）と、第２画素群の複数の画素ＰＸの画素電極２２（２２ｂ，２２ｄ）と、から外れて位置している。第１補助電極２０ａの第２領域Ｒ２は、第１画素電極２２ａと第３画素電極２２ｃとの間や、第１画素電極２２ａと第２画素電極２２ｂとの間に位置している。
【００７８】
次に、配向膜に施す配向処理について説明する。  
図１１に示すように、配向膜２３は、画素電極２２（２２ａ乃至２２ｄ）と液晶層の３との間に位置し、液晶層３に接している。ここで、第１画素電極２２ａにおいて、第１角部Ｃ１の角を点Ｐ１、第２角部Ｃ２の角を点Ｐ２、第３角部Ｃ３の角を点Ｐ３、第４角部Ｃ４の角を点Ｐ４で示す。なお、列方向Ｙは、点Ｐ１から点Ｐ４に向かう方向であり、行方向Ｘは、点Ｐ１から点Ｐ２に向かう方向である。本実施形態において、配向膜２３には、点Ｐ２から点Ｐ４に向かう方向にラビングが施されている。
【００７９】
但し、配向膜２３に施すラビングの方向は、ラビング方向Ｄに限定されるものではなく、種々変形可能である。配向膜２３には、点Ｐ２から点Ｐ４に向かう方向に対し±９０°の範囲内（−９０°≦θ≦＋９０°）の何れか１方向にラビングが施されていてもよい。ここでは、液晶表示パネル１０を平面視した状態において、点Ｐ２から点Ｐ４に向かう方向を角度θ＝０°とする。
【００８０】
なお、ラビング方向Ｄは、点Ｐ２から点Ｐ４に向かう方向を含み、列方向Ｙから行方向Ｘの逆方向までの９０°の範囲内の何れか１方向である方が望ましい。ラビング方向Ｄが第１画素電極２２ａの下辺Ｌ１及び右辺の両方と交差しないためであり、上記第１の実施形態と同等のエッジリバースの発生を低減する効果を得ることができるためである。
【００８１】
一方、配向膜４３にもラビングが施されている。本実施形態においても、液晶表示パネル１０はＴＮ方式を採用している。このため、配向膜４３には、配向膜２３のラビング方向に対して直交する方向にラビングが施されている。
【００８２】
なお、上記のように形成された液晶表示パネル１０は、上記第１の実施形態と同様の駆動方法にて駆動される。例えば、１フレーム期間内に、奇数行の画素ＰＸ（ＰＸａ，ＰＸｃ）の画素電極２２（２２ａ，２２ｃ）に入力される第１映像信号の極性と、偶数行の画素ＰＸ（ＰＸｂ，ＰＸｄ）の画素電極２２（２２ｂ，２２ｄ）に与えられる第２映像信号の極性とは、異なる。第１補助電極２０ａには、１フレーム期間毎に、第１映像信号の極性と同一の極性の電圧が与えられる。第２補助電極２０ｂには、１フレーム期間毎に、第２映像信号の極性と同一の極性の電圧が与えられる。
【００８３】
上記のように構成された第２の実施形態に係る液晶表示装置によれば、液晶表示装置は、液晶層３と、第１乃至第４画素電極２２ａ乃至２２ｄと、第１及び第２補助電極２０ａ及び２０ｂと、を備えている。例えば、第２画素電極２２ｂは、列方向Ｙに間隔を置いて第１画素電極２２ａと隣合っている。第１補助電極２０ａは、第１領域Ｒ１と第２領域Ｒ２とを有している。任意の１フレーム期間において、第１画素電極２２ａには第１映像信号が入力され、第２画素電極２２ｂには第１映像信号の極性と異なる極性の第２映像信号が入力され、第１補助電極２０ａには第１映像信号の極性と同一の極性の電圧が与えられる。
【００８４】
補助電極２０の形状をラビング方向Ｄに対応付けることにより、エッジリバースの発生を有効に回避することができる。このため、本実施形態に係る液晶表示装置は、上記第１の実施形態に係る液晶表示装置と同様の効果を得ることができる。  
上記のことから、画像の輝度レベルの低下を抑制することのできる液晶表示装置を得ることができる。又は、表示品位に優れた液晶表示装置を得ることができる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８６】
例えば、画素電極２２（２２ａ，２２ｂ，２２ｃ，２２ｄ）の形状は、正方形に限定されるものではなく、種々変形可能であり、長方形であってもよい。画素電極２２の形状は、矩形状以外の形状であってもよい。これらの場合であっても、上述した実施形態の効果と同様の効果を得ることができる。
【００８７】
単位画素ＵＰＸは、ＲＧＢＷ正方画素に限らず、種々変形可能であり、例えば、いわゆるＲＧＢＷ縦ストライプ画素（ＲＧＢＷの４個の長方形の画素（画素電極）がストライプ状に配列された画素）で構成されていてもよい。  
また、単位画素ＵＰＸは、いわゆるＲＧＢ縦ストライプ画素（一般的な３原色であるＲＧＢの３個の長方形の画素（画素電極）がストライプ状に配列された画素）で構成されていてもよい。単位画素ＵＰＸは、さらに、Ｙ（黄色）画素や、Ｗ画素及びＹ画素の両方を備えた４色以上の画素で構成されていてもよい。  
上述した実施形態は、上述した液晶表示装置に限定されるものではなく、各種の液晶表示装置に適用可能である。
【符号の説明】
【００８８】
１…アレイ基板、２…対向基板、３…液晶層、５…柱状スペーサ、９…駆動回路、１０…液晶表示パネル、２０，２０ａ，２０ｂ…補助電極、２０ａ１，２０ｂ１…第１側縁、２０ａ２，２０ｂ２…第２側縁、２１…絶縁膜、２２，２２ａ，２２ｂ，２２ｃ，２２ｄ…画素電極、２３，４３…配向膜、４２…対向電極、９０…信号線駆動回路、Ｃ１，Ｃ２，Ｃ３，Ｃ４…角部、Ｓ１，Ｓ２…側縁部、Ｌ１…下辺、Ｌ２…上辺、Ｒ１…第１領域、Ｒ２…第２領域、Ｒ３…第３領域、Ｐ１，Ｐ２，Ｐ３，Ｐ４…点、ＬＭ…液晶分子、ＵＰＸ…単位画素、ＰＸ，ＰＸａ，ＰＸｂ，ＰＸｃ，ＰＸｄ…画素、ＡＡ…表示領域、Ｘ…行方向、Ｙ…列方向、Ｄ…ラビング方向
【図１】
2015219442.tif 000003
【図２】
2015219442.tif 000004
【図３】
2015219442.tif 000005
【図４】
2015219442.tif 000006
【図５】
2015219442.tif 000007
【図６】
2015219442.tif 000008
【図７】
2015219442.tif 000009
【図８】
2015219442.tif 000010
【図９】
2015219442.tif 000011
【図１０】
2015219442.tif 000012
【図１１】
2015219442.tif 000013